(57)【特許請求の範囲】
【請求項１】
複数の無線通信システムそれぞれに対応し、当該それぞれの無線通信システムにより無線通信を行う複数の通信部と、
前記複数の通信部のうちいずれか一の通信部を、所定の優先順位により選択してデータ通信接続を確立させる制御部と、
表示部と、を備え、
前記制御部は、前記表示部の電源がオフである状態において、前記複数の通信部のいずれにおいてもデータ通信が行われていない場合、前記所定の優先順位に関わらず、前記複数の通信部のうち特定の通信部を選択してデータ通信接続を確立させ、前記表示部の電源がオンの状態になると、前記特定の通信部よりも優先順位が高い他の通信部を選択してデータ通信接続を確立させる無線端末装置。
【請求項２】
前記特定の通信部は、起動中の通信部である請求項１に記載の無線端末装置。
【請求項３】
前記特定の通信部は、セルラー方式の通信規格に準拠した無線通信システムに対応している請求項１又は請求項２に記載の無線端末装置。
【請求項４】
前記複数の無線通信システムは、前記セルラー方式の通信規格に準拠した無線通信システムと、ＩＥＥＥ８０２．１１又はＷｉＭＡＸ（登録商標）の少なくともいずれかを含む複数の無線通信システムとを含み、
前記セルラー方式の通信規格に準拠した無線通信システムは、前記優先順位の最下位である請求項３に記載の無線端末装置。
【請求項５】
前記制御部は、前記特定の通信部を選択してデータ通信接続を確立させた後、所定時間後までの間にデータ通信が行われなかった場合、ドーマント状態に遷移させる請求項１から請求項４のいずれか１項に記載の無線端末装置。
【請求項６】
複数の無線通信システムそれぞれに対応し、当該それぞれの無線通信システムにより無線通信を行う複数の通信部と、前記複数の通信部のうちいずれか一の通信部を所定の優先順位により選択してデータ通信接続を確立させる制御部と、表示部と、を備える無線端末装置の通信制御方法であって、
前記制御部が、前記表示部の電源がオフである状態において、前記複数の通信部のいずれにおいてもデータ通信が行われていない場合、前記所定の優先順位に関わらず、前記複数の通信部のうち特定の通信部を選択してデータ通信接続を確立させ、前記表示部の電源がオンの状態になると、前記特定の通信部よりも優先順位が高い他の通信部を選択してデータ通信接続を確立させる通信制御方法。
【発明の詳細な説明】
【技術分野】
【０００１】
本発明は、省電力状態へ遷移可能な無線端末装置及び通信制御方法に関する。
【背景技術】
【０００２】
従来、スマートフォン又はタブレット端末等、タッチスクリーンディスプレイを備える無線端末装置が知られている。これらの無線端末装置は、高機能化に伴ってアプリケーションの実行、表示及び通信等に多くの電力を必要とする傾向にあるため、特に携帯型の無線端末装置では、ユーザの利便性を低下させることなく消費電力を低減させることが求められている。
【０００３】
このような状況において、無線端末装置において消費電力を低減させる技術が提案されている（例えば特許文献１参照）。また、無線端末装置では、設定によっては、スクリーンがオフになると装置本体が省電力のスリープ状態へ遷移する機能が設けられる場合もある。この場合、無線通信システムでデータ通信が継続していると、このデータ通信が終了又は切断されて通信処理部が省電力状態に遷移した後、装置本体がスリープ状態へ遷移する。
【先行技術文献】
【特許文献】
【０００４】
【特許文献１】特開２００９−４９８７５号公報
【発明の概要】
【発明が解決しようとする課題】
【０００５】
ところで、無線端末装置は、複数の無線通信システムに対応している場合、所定の優先順位に従って、データ通信を行う無線通信システムが選択される。例えば、３つの無線通信システムに対応している場合、無線端末装置は、上位ベアラが切断されれば、中位ベアラに接続を試み、中位ベアラに接続できなければ、下位ベアラに接続する。
【０００６】
しかしながら、上述のように、スクリーンがオフになったことに応じて、いずれかの無線通信システムの通信処理部が省電力状態へ遷移した場合、再びスクリーンがオンになるまでは、ユーザ操作が行われないため、データ通信が発生する可能性は低い。したがって、優先順位に従って他の無線通信システムへ接続を試みることは、消費電力を無用に増大させる。
【０００７】
一方、全ての無線通信システムでデータ通信の接続が切断されていると、スクリーンがオンに復帰した際、接続が間に合わず、データ通信の開始要求に即座に対応できない場合あり、利便性が低下する。
【０００８】
本発明は、利便性の低下を抑制しつつ、消費電力を低減できる無線端末装置及び通信制御方法を提供することを目的とする。
【課題を解決するための手段】
【０００９】
本発明に係る無線端末装置は、複数の無線通信システムそれぞれに対応し、当該それぞれの無線通信システムにより無線通信を行う複数の通信部と、前記複数の通信部のうちいずれか一の通信部を、所定の優先順位により選択してデータ通信接続を確立させる制御部と、表示部と、を備え、前記制御部は、前記表示部の電源がオフである状態において、前記所定の優先順位に関わらず、前記複数の通信部のうち特定の通信部を選択してデータ通信接続を確立させる。
【００１０】
また、前記特定の通信部は、起動中の通信部であることが好ましい。
【００１１】
また、前記制御部は、前記表示部の電源がオフである状態において、前記複数の通信部のいずれにおいてもデータ通信が行われていない場合、前記所定の優先順位に関わらず、前記複数の通信部のうち特定の通信部を選択してデータ通信接続を確立させることが好ましい。
【００１２】
また、前記特定の通信部は、セルラー方式の通信規格に準拠した無線通信システムに対応していることが好ましい。
【００１３】
また、前記複数の無線通信システムは、前記セルラー方式の通信規格に準拠した無線通信システムと、ＩＥＥＥ８０２．１１又はＷｉＭＡＸ（登録商標）の少なくともいずれかを含む複数の無線通信システムとを含み、前記セルラー方式の通信規格に準拠した無線通信システムは、前記優先順位の最下位であることが好ましい。
【００１４】
また、前記制御部は、前記特定の通信部を選択してデータ通信接続を確立させた後、所定時間後までの間にデータ通信が行われなかった場合、ドーマント状態に遷移させることが好ましい。
【００１５】
本発明に係る通信制御方法は、複数の無線通信システムそれぞれに対応し、当該それぞれの無線通信システムにより無線通信を行う複数の通信部と、前記複数の通信部のうちいずれか一の通信部を所定の優先順位により選択してデータ通信接続を確立させる制御部と、表示部と、を備える無線端末装置の通信制御方法であって、前記表示部の電源がオフである状態において、前記所定の優先順位に関わらず、前記複数の通信部のうち特定の通信部を選択してデータ通信接続を確立させる。
【発明の効果】
【００１６】
本発明によれば、無線端末装置は、利便性の低下を抑制しつつ、消費電力を低減できる。
【図面の簡単な説明】
【００１７】
【図１】実施形態に係るスマートフォンの外観を示す斜視図である。
【図２】実施形態に係るスマートフォンの外観を示す正面図である。
【図３】実施形態に係るスマートフォンの外観を示す背面図である。
【図４】実施形態に係るスマートフォンの構成を示すブロック図である。
【図５】実施形態に係る通信ユニット及びコントローラの詳細な機能を示すブロック図である。
【図６】実施形態に係る状態遷移の一例を時系列に示す図である。
【図７】実施形態に係る処理を示すフローチャートである。
【発明を実施するための形態】
【００１８】
本発明を実施するための実施形態を、図面を参照しつつ詳細に説明する。以下では、無線端末装置の一例として、スマートフォンについて説明する。
【００１９】
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００２０】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２１】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００２２】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２３】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２４】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２５】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２６】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２７】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２８】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２９】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００３０】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００３１】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３２】
図４は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、外部インターフェイス１４と、加速度センサ１５と、方位センサ１６と、回転検出センサ１７とを有する。
【００３３】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３４】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００３５】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００３６】
照度センサ４は、照度を検出する。例えば、照度とは、光の強さ、明るさ、輝度等である。照度センサ４は、例えば、ディスプレイ２Ａの輝度の調整に用いられる。
【００３７】
近接センサ５は、近隣の物体の存在を非接触で検出する。近接センサ５は、例えば、タッチスクリーンディスプレイ２が顔に近付けられたことを検出する。
【００３８】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（登録商標）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００３９】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００４０】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４１】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４２】
ストレージ９は、例えば、制御プログラム９Ａ、メールアプリケーション９Ｂ、ブラウザアプリケーション９Ｃ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルが格納されている。配置パターンデータベース９Ｅは、ディスプレイ２Ａに表示されるアイコン等の配置パターンが格納されている。設定データ９Ｚは、スマートフォン１の動作に関する各種の設定機能を提供する。
【００４３】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００４４】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００４５】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。
【００４６】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４７】
カメラ１２は、フロントフェイス１Ａに面している物体を撮影するインカメラである。カメラ１３は、バックフェイス１Ｂに面している物体を撮影するアウトカメラである。
【００４８】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。外部インターフェイス１４は、Ｄｏｃｋコネクタのような専用に設計された端子でもよい。外部インターフェイス１４に接続される装置には、例えば、外部ストレージ、スピーカ、通信装置が含まれる。
【００４９】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００５０】
このように構成されるスマートフォン１は、消費電力を低減することができる。以下に、具体的な構成について説明する。
【００５１】
図５は、スマートフォン１における通信ユニット６及びコントローラ１０（制御部）の詳細な機能を示すブロック図である。
なお、スマートフォン１は、データ通信を行う無線通信システムとして、ＩＥＥＥ８０２．１１で規定されるＷｉＦｉ、ＷｉＭＡＸ及び３Ｇ方式の無線通信システム（例えば、ＣＤＭＡ２０００＿１ｘＥＶＤＯ、Ｗ−ＣＤＭＡ等である。以下、３Ｇシステムという。）に対応しているものとする。
【００５２】
通信ユニット６は、ＷｉＦｉに対応する通信処理部６１Ａ（通信部）、無線部６２Ａ及びアンテナ６３Ａと、ＷｉＭＡＸに対応する通信処理部６１Ｂ（通信部）、無線部６２Ｂ及びアンテナ６３Ｂと、３Ｇシステムに対応する通信処理部６１Ｃ（通信部）、無線部６２Ｃ及びアンテナ６３Ｃとを備える。
【００５３】
通信処理部６１（Ａ、Ｂ及びＣ）は、それぞれ対応する無線部６２（Ａ、Ｂ及びＣ）を制御し、無線通信システムへの接続、切断等の状態遷移を司る。
無線部６２（Ａ、Ｂ及びＣ）は、それぞれ対応するアンテナ６３（Ａ、Ｂ及びＣ）より受信した信号を復調処理し、処理後の信号を通信処理部６１へ供給し、また、通信処理部６１から供給された信号を変調処理し、アンテナ６３から外部装置へ送信する。
【００５４】
コントローラ１０は、判定部１０１と、状態管理部１０２とを備え、通信処理部６１（Ａ、Ｂ及びＣ）に対して所定の制御を行う。
【００５５】
判定部１０１は、通信処理部６１ＡがＷｉＦｉでデータ通信可能な状態、具体的には、ＩＥＥＥ８０２．１１に規定されているアクティブ状態であり、かつ、タッチスクリーンディスプレイ２（表示部）の電源がオフとなった場合に、ＷｉＦｉでデータ通信が行われているか否かを判定する。
【００５６】
具体的には、判定部１０１は、タッチスクリーンディスプレイ２の電源がオフとなった後、所定時間（例えば、３０秒）後にＷｉＦｉでデータ通信が行われているか否かを判定する。さらに、判定部１０１は、タッチスクリーンディスプレイ２の電源がオフとなっている間、ＷｉＦｉでデータ通信が行われていないと判定するまで、所定周期（例えば、３０秒毎）で判定を繰り返す。
【００５７】
このとき、判定部１０１は、物理層より上位のレイヤにおいて、送受信データのパケットの有無により、データ通信が行われているか否かを判定する。
【００５８】
状態管理部１０２は、複数の通信処理部６１のいずれかを、所定の優先順位により選択してデータ通信可能なアクティブ状態へ遷移させる。本実施形態では、状態管理部１０２は、ＷｉＦｉ（上位ベアラ）、ＷｉＭＡＸ（中位ベアラ）、３Ｇシステム（下位ベアラ）の順に優先して接続する。つまり、通常、状態管理部１０２は、ＷｉＦｉに接続できない場合にＷｉＭＡＸに接続し、ＷｉＭＡＸにも接続できない場合に３Ｇシステムに接続する。
【００５９】
また、状態管理部１０２は、判定部１０１により、データ通信が行われていると判定された場合、通信処理部６１Ａに対して、ＷｉＦｉのアクティブ状態を維持させ、データ通信が行われていないと判定された場合、省電力状態、具体的には、ＩＥＥＥ８０２．１１に規定されているパワーセーブモードに遷移させる。
【００６０】
さらに、状態管理部１０２は、タッチスクリーンディスプレイ２の電源がオフとなり、かつ、複数の通信処理部６１のいずれにおいてもデータ通信が行われていない場合、上記の優先順位に関わらず、既定の通信処理部６１、本実施形態では通信処理部６１Ｃに対して、対応する３Ｇシステムでのデータ通信接続（ＰＰＰセッション）を確立させる。ここで、通信処理部６１Ｃが対応している３Ｇシステムは、セルラー方式の通信規格に準拠した無線通信システムであり、間欠受信のために常時起動しているため、他の通信システムに接続する場合に比べて、データ通信のセッションを確立することによる電力消費が低減される。
【００６１】
そして、状態管理部１０２は、通信処理部６１Ｃにデータ通信接続を確立させた後、所定時間（例えば３秒）後までの間にデータ通信が行われなかった場合、ドーマント状態に遷移させ、消費電力を低減させる。
【００６２】
図６は、通信処理部６１（Ａ、Ｂ及びＣ）の状態遷移の一例を時系列に示す図である。
時刻ｔ１より前では、通信処理部６１Ａは、アクティブ状態でデータ通信を行っている。また、通信処理部６１Ｂは、ＷｉＭＡＸと切断され、サーチも行なっていないシャットダウンモードである。また、通信処理部６１Ｃは、３Ｇシステムに接続し、着信の間欠受信状態である。
【００６３】
時刻ｔ１において、タッチスクリーンディスプレイ２の電源がオフになると、判定部１０１で使用されるタイマが起動する。このとき、通信処理部６１（Ａ、Ｂ及びＣ）は、いずれも状態遷移せず、時刻ｔ１以前の状態を継続する。
【００６４】
時刻ｔ１から３０秒が経過し、時刻ｔ２でタイマが満了すると、ＷｉＦｉでデータ通信が行われているか否かが判定部１０１により判定される。この時点で、データ通信が継続している場合、状態遷移は行われず、新たに３０秒を計測するタイマが起動する。
【００６５】
時刻ｔ２から時刻ｔ３の間にデータ通信が終了すると、タイマが満了した時刻ｔ３において、判定部１０１は、データ通信が行われていないと判定する。すると、状態管理部１０２は、通信処理部６１Ａをパワーセーブモードへ遷移させ、ＷｉＦｉとの接続を切断する。
【００６６】
上位ベアラであるＷｉＦｉが切断されると、通常、中位ベアラであるＷｉＭＡＸへの接続が試みられるが、タッチスクリーンディスプレイ２の電源がオフであるため、状態管理部１０２は、最下位のベアラである３Ｇシステムでのデータ通信を開始する。ところが、送受信データが存在しないため、通信処理部６１Ｃは、ドーマント状態へと移行し、送受信データの発生に備える。
【００６７】
時刻ｔ４において、タッチスクリーンディスプレイ２の電源がオンになると、３Ｇシステムよりも優先されるＷｉＦｉ及びＷｉＭＡＸのサーチが開始され、システムの捕捉に成功すると、下位ベアラから上位ベアラ又は中位ベアラへデータ通信の担当が引き継がれる。
【００６８】
図７は、スマートフォン１における通信処理部６１の状態遷移に係る処理を示すフローチャートである。
【００６９】
ステップＳ１において、コントローラ１０は、タッチスクリーンディスプレイ２の電源がオフになったか否かを判定する。この判定がＹＥＳの場合、処理はステップＳ２に移り、判定がＮＯの場合、ステップＳ１が継続される。
【００７０】
ステップＳ２において、判定部１０１は、ステップＳ１でタッチスクリーンディスプレイ２の電源がオフになったと判定されたことに応じて、タイマによる所定時間（３０秒）の計時を開始する。
【００７１】
ステップＳ３において、判定部１０１は、ステップＳ２で開始されたタイマが満了したか否かを判定する。この判定がＹＥＳの場合、処理はステップＳ４に移り、判定がＮＯの場合、ステップＳ３が継続される。
【００７２】
ステップＳ４において、判定部１０１は、ＷｉＦｉでデータ通信が行われているか否かを判定する。この判定がＹＥＳの場合、処理はステップＳ２に戻り、新たにタイマによる計時を開始する。一方、判定がＮＯの場合、処理はステップＳ５に移る。
【００７３】
ステップＳ５において、状態管理部１０２は、データ通信が行われておらず、かつ、タッチスクリーンディスプレイ２の電源がオフなので、新たにデータ通信が発生する可能性が低いと判断し、ＷｉＦｉに対応する通信処理部６１Ａをパワーセーブモードへ遷移させる。
【００７４】
ステップＳ６において、状態管理部１０２は、後にタッチスクリーンディスプレイ２の電源がオンになってデータ通信が要求されるのに備えて、既に着信待ち受けのために起動している３Ｇシステムに対応する通信処理部６１Ｃでデータ通信用のセッションを確立させる。
【００７５】
ステップＳ７において、コントローラ１０は、タッチスクリーンディスプレイ２の電源がＯＮになったか否かを判定する。この判定がＹＥＳの場合、処理はステップＳ８に移り、判定がＮＯの場合、ステップＳ７が継続される。
【００７６】
ステップＳ８において、状態管理部１０２は、３Ｇシステムよりも優先度が高いＷｉＦｉ及びＷｉＭＡＸに対応する通信処理部６１Ａ及び通信処理部６１Ｂに対して、各無線通信システムのサーチを開始させる。
【００７７】
以上のように、本実施形態によれば、スマートフォン１は、タッチスクリーンディスプレイ２の電源がオフとなった場合に、ＷｉＦｉでデータ通信が行われていなければパワーセーブモードに遷移するので、アクティブ状態が必要以上に継続されることにより無用に消費される電力を低減することができる。また、スマートフォン１は、タッチスクリーンディスプレイ２の電源がオフとなった場合でも、データ通信が行われていればアクティブ状態を維持するので、データ通信が途中で切断されることがなく、利便性の低下が抑制される。
【００７８】
また、スマートフォン１は、タッチスクリーンディスプレイ２の電源がオフとなった後、所定時間後にデータ通信の有無を判定するので、例えば、電源のオフとオンの操作が短時間（例えば、３０秒未満）に連続して行われた場合に、ＷｉＦｉを無用に切断してしまうのを防ぎ、再度ＷｉＦｉをサーチするための電力の消費を抑制できる。
【００７９】
さらに、スマートフォン１は、タッチスクリーンディスプレイ２の電源がオフとなっている間、データ通信が行われていないと判定するまで、所定周期（例えば、３０秒毎）でデータ通信の有無を判定する。したがって、スマートフォン１は、データ通信の終了を監視し、適切なタイミングでパワーセーブモードへ移行するので、利便性の低下を抑制しつつ、消費電力を低減できる。
【００８０】
また、スマートフォン１は、タッチスクリーンディスプレイ２の電源がオフとなって、上位ベアラであるＷｉＦｉの通信処理部６１Ａがパワーセーブモードへ遷移した場合に、中位ベアラであるＷｉＭＡＸの通信処理部６１Ｂはシャットダウン状態のまま、下位ベアラである３Ｇシステムの通信処理部６１Ｃにおいて、データ通信のセッションを確立させる。したがって、スマートフォン１は、タッチスクリーンディスプレイ２の電源がオフの間、ＷｉＭＡＸのサーチ及びアクティブ状態への復帰を行わず、消費電力の増加が最も少ない無線通信システムである３Ｇシステムでデータ通信の接続を行うので、消費電力を低減できる。
【００８１】
このとき、セルラー方式である３Ｇシステムは、既に着信待ち受けのために起動中のため、データ通信の接続を行うにあたって消費電力の増加を抑制できる。また、再びタッチスクリーンディスプレイ２の電源がオンになった際に即座にデータ通信が可能となる。
さらに、データ通信の接続が確立された３Ｇシステムは、ドーマント状態に遷移するので、スマートフォン１は、さらに消費電力を抑えることができる。
【００８２】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００８３】
図４及び図５に示したスマートフォン１の構成は一例であり、本発明の要旨を損なわない範囲において適宜変更してよい。
例えば、表示部は、タッチスクリーン２Ｂによる検出機能を有するタッチスクリーンディスプレイ２としたが、検出機能を有さない表示装置であってもよい。
また、通信処理部６１は、ＷｉＦｉ、ＷｉＭＡＸ及び３Ｇシステムに対応するものとして説明したが、これには限られず、他の無線通信システムであってもよいし、４以上の無線通信システムに対応していてもよい。
【００８４】
なお、図４においてストレージ９が記憶することとしたプログラムの一部又は全部は、通信ユニット６による無線通信で他の装置からダウンロードされてもよい。また、図４においてストレージ９が記憶することとしたプログラムの一部又は全部は、ストレージ９に含まれる読み取り装置が読み取り可能な記憶媒体に記憶されていてもよい。また、図４においてストレージ９が記憶することとしたプログラムの一部又は全部は、外部インターフェイス１４に接続される読み取り装置が読み取り可能なＣＤ、ＤＶＤ、又はＢｌｕ−ｒａｙ等の記憶媒体に記憶されていてもよい。
また、図４に示した各プログラムは、複数のモジュールに分割されていてもよいし、他のプログラムと結合されていてもよい。
【００８５】
また、前述の実施形態では、無線端末装置の一例として、スマートフォンについて説明したが、無線端末装置は、スマートフォンに限定されない。例えば、無線端末装置は、モバイルフォン、携帯型パソコン、デジタルカメラ、メディアプレイヤ、電子書籍リーダ、ナビゲータ又はゲーム機等の携帯電子機器、あるいは通信機能に特化した通信専用モジュールであってもよい。また、無線端末装置は、デスクトップパソコン、テレビ受像器等の据え置き型の電子機器であってもよい。
【符号の説明】
【００８６】
１  スマートフォン（無線端末装置）
２  タッチスクリーンディスプレイ（表示部）
６  通信ユニット
１０  コントローラ（制御部）
６１Ａ、６１Ｂ、６１Ｃ  通信処理部（通信部）
６２Ａ、６２Ｂ、６２Ｃ  無線部
６３Ａ、６３Ｂ、６３Ｃ  アンテナ
１０１  判定部
１０２  状態管理部
【図１】
0005967899.tif 000002
【図２】
0005967899.tif 000003
【図３】
0005967899.tif 000004
【図４】
0005967899.tif 000005
【図５】
0005967899.tif 000006
【図６】
0005967899.tif 000007
【図７】
0005967899.tif 000008